(57)【要約】【目的】  出席管理装置に、バーコードや非接触ＩＣ力ードに伴う諸欠点の無い方法で出席確認をとることおよび自動集計すること。【構成】出席者が携帯する携帯電話をかざすか、または携帯電話からの信号を受信することでそのデータを読み取る装置２と、あらかじめ出席が許可された個人を認証する情報を管理する装置３と、出席者群管理プログラム４と表示部とで構成した出席管理装置。【効果】出席確認に要する時間を大幅に短縮および不正や忘却を防止できる。【選択図】図１
2007193828.tif 000002
【特許請求の範囲】
【請求項１】
出席者が所有する携帯電話上に表示されている電話番号を読み取る装置と、あらかじめ出席が許可された個人を認証する情報を管理する装置とからなる事を特徴とする本人認証が行える出席管理装置。
【請求項２】
出席者が所有する携帯電話から発せられた信号を受ける携帯機インタフェース装置と、そのデータから電話番号を読み取る装置とあらかじめ出席が許可された個人を認証する情報を管理する装置と、出席者群管理プログラム部とで構成されてなることを特徴とする出席管理装置。
【発明の詳細な説明】
【産業上の利用分野】
【０００１】本願発明は新規な出席管理装置および方法に関する。本願発明に係る出席管理装置は授業や会議等において、出席登録手続きを必要とせず前もって登録した携帯電話を本装置に近づけることで出席管理がおこなえる装置および方法に関する。
【背景技術】
【０００２】  従来、例えば大学の講義において、教師が点呼していた。そのために膨大な時間が消費され、行う講義の時間が不足していた。またメモや資料の提出はその整理に教師の時間を拘束していた。【０００３】他方、このために作られたこれまでの出席管理装置においては、出席者の名前、あるいは前もって決められたコードをコンピュータ等のキーボードやマウス等で、本人の名前を選択し登録する。または個別情報をバーコードに印刷した何らかの印刷物を読み込ます、または主催者が本人確認を行うことで実行していた出席をとる行為、出席の登録をする煩雑な時間を要する行為が必要であった。バーコードでは、目で見えるためコピーが可能で偽造等の多くの欠点があったことは申すまでもない。
これらは、いずれも教師或いは主催者等と、出席者のいずれかに大きな負担をもたらし、講義や講演の時間的ロスにつながるという大きな欠点があった。【０００４】また、本人か否かがわからない時、同姓同名者の存在、代理人の挙手、代理返事、二重の登録、忘却など複雑な要因が重なった時、事態を一層悪化させていた。
また、途中退席（ズルヤスミ）を防止するための点呼や、本人の登録は事態を一層悪化させていた。
【発明が解決しようとする課題】
【０００５】  本発明者らは上記欠点のない出席管理装置について、バーコードや、非接触ＩＣカードの諸欠点（出席点呼時間のロス、代理返事、不正使用、コピー、本人の確定、破損、忘却、忘れ、紛失）の無い、出席管理装置を提供することを目的とする。
また、出席回数の自動合計、その画面の見易さ、自動出席点表示、他のレポート点との自動合計など、可能な限りの時間節約、ミスの防止を目的とする。
【課題を解決するための手段】
【０００６】本発明者は、鋭意検討した結果、遂に次の発明に到達した。ここでいう出席管理とは出席または退席のいずれか、または、両方を合せもつ意味で用いる。特に参加者や主催者は登録を意識することなしに携帯電話（モバイルとも言う）をこの装置に近づけることで出席者の登録が行えることができ、必要に応じて出席回数も自動集計でき、更に不正出席を防止できる改良された出席管理装置でる。本発明者は、近時、携帯電話による振込みさぎなどかあり、本人確認などその取得がきびしくなった。
【０００７】  それ故、本人確認と言う意味で、携帯電話の価値が向上したことを最大限に利用する方法でもある。本発明の骨子は、次の通りである。
（Ａ）出席者が所有する携帯電話上に表示されている電話番号を読み取る装置と、あらかじめ出席が許可された個人を認証する情報を管理する装置とからなる事を特徴とする本人認証が行える出席管理装置である。
【０００８】（Ｂ）出席者が所有する携帯電話から発せられた信号を受ける携帯機インタフェース装置と、そのデータから電話番号を読み取る装置とあらかじめ出席が許可された個人を認証する情報を管理する装置と、出席者群管理プログラム部とで構成されてなることを特徴とする出席管理装置である。
【０００９】  本発明の理解を容易ならしめるために、先ず図を用いて説明する。図１は、本願発明の出席管理装置の構成を示すもので、１は、携帯電話である。２は、携帯電話の読み取り装置、３は出席者群管理プログラムを実行するコンピュータ、４は出席者群管理プログラム、５は人を感知する光センサーや赤外線センサーまたは超音波センサー，６は、出席者が登録されたことを知らせる発光部、７は、同目的の音響発信部、８はデジカメ撮像部、９は、人を感知するマットである。
【００１０】３．４．５は、一体となっていた方が好ましい。コンピュータは、ケーブルまたは、無線で離れていてもよい。既存のコンピュータを活用する場合や装置を安価に仕上げるには、３と４が、同時にセットされていた方が好ましい。
【００１１】上記と、重複するが、
１．は、携帯電話であるが、特定番号を発信してもらう、自己番号を表示するなどがある。特定番号は、日時と講義番号である。発信者は、記録されているので、本人確認は容易である。
２．は、携帯電話読み取り装置であるが、上記１．に対応した装置である。
３．はコンピュータであり、一般にいわれるパソコンやマイコンが使われる。出席管理ソフトを入力しておくことは、申すまでもない。
４．は出席者群管理プログラムである。
５．はセンサーであり、光センサー、超音波センサー、赤外線センサー、感圧センサー、あるいはＣＣＤカメラ，デジタルカメラで人体検出や不正防止用または本人特定に使用される。
【００１２】６．は発光部であり、ＬＥＤやランプ、ＣＲＴ画面，液晶画面で出席者の出席完了や不正検出および出席不可を知らせる。
７．は音響部であり、ブザーやスピーカーで出席者の出席完了や不正検出および出席不可を知らせる。
８．はデジカメ撮像部であり、ＣＣＤカメラやデジタルカメラで出席者を撮影する。これは、証拠として長期保存することができる。
９．はマットであり出席者の有無を検知する。２．携帯電話読み取り装置で検知するときに、踏むので、情報をより正確なものとすることができる。
【００１３】図２は、メインメニュ画面で、授業選択▲１▼、入室チェック▲２▼、退室チェック▲３▼、出席データ一覧と出欠訂正▲４▼、名簿ファイルエディター、▲５▼年間授業登録・変更、▲６▼データの集計や印刷、▲７▼終了０の項目の少なくとも３以上の項目を表示することにより操作性が向上し大変便利になった。
【００１４】図３は、携帯電話番号登録、図４は、顔写真登録、図５は、登録完了の表示の諸項目を表示することで登録作成の操作性が向上し大変便利になった。
【００１５】図６は、入室チェック画面、氏名、写真、携帯電話を近づけてください、終了＝ＥＳＣの項目を表示することで操作性が向上し大変便利になった。
【００１６】図７は、退室チェック画面、携帯電話番号、氏名、写真、携帯電話を近づけてください、終了＝ＥＳＣの項目を表示する表示することで操作性が向上し大変便利になった。
【００１７】図８．は、携帯電話番号確認を示す図である。
図９は、出席データ一覧表と出欠訂正における、学籍番号の前に「授業内一連番号」を自動的に付けたもの及び５人目毎に太いアンダーライ（太い罫線）を入れると見やすくなり大変便利になった。
【００１８】図１０．の名簿ファイルエディタ画面である。学籍番号の前に「授業内一連番号」を自動的に付けこの番号で人名を探す事ができ操作時間が短縮され操作性が向上し大変便利になった。
図１１．は、年間授業登録・変更図である。
【００１９】図３．において、携帯電話を登録と同時に写真を撮影し登録することで出席、退席管理の際、登録した写真を表示することで本人確認を行え大変便利になった。
【００２０】図４において、あらかじめ撮影しておいた写真リストから登録することで出席、退席管理の際、登録しておいた写真を表示することで本人確認を行え大変便利になった。
【００２１】出席者が所有する携帯電話を読み取る事で本人認証が行え、大変便利になった。
【００２２】出席者が所有する携帯電話１の電話番号を携帯機インタフェースに接続した電話番号読み取り装置２が読み出した電話番号を通信で読み取る装置２とあらかじめ出席が許可された個人を認証する情報を管理する装置（コンピュータ）３と、出席者群管理プログラム４とで構成されて余計な記録媒体物を必要とせず大変便利になった。
【作用】
【００２３】  本願発明では読み取り装置２と、コンピュータ３と、出席者群管理プログラム４を同時に組み合わされているので，すなわち、出席登録情報を広範囲に利用することが可能である。
なお、本発明には、次の各構成を発明の重要な内容として含むものである。
【００２４】Ａ．非接触ＩＣカードやバーコードが、不要である。
Ｂ．管理が厳しくなった携帯電話を使用して同一人の確認が行えること。
Ｃ．管理が厳しくなった携帯電話を使用して不正が防止できること。
Ｄ．携帯電話番号は、唯一つしかないので、不正が防止できること。
Ｅ．本発明の構成による出欠の管理方法・システムを含むビジネスモデルを含むこと。
【００２５】Ｆ．出席も退席も管理できること。
Ｇ．出欠管理を一覧表にすること。およびその集計が毎回自動的にまたは必要に応じなされること。またプリンターに接続することにより、印刷できること。
Ｈ．人名、識別番号を縦に、横に日付け、入り、出、を順に並べ自動的に該当個所に、管理結果が、表示され、集計欄に合計が絶えず表示されてなる構成を含むこと。必要に応じ振り仮名部が設けられてなること。
Ｉ．別のソフトより、人名、識別番号が取り込めること。
【発明の効果】
【００２６】
【効果Ａ】
主催者は出席を取る時間が不要になる。その間講義等が長くできるメリットがある。
【効果Ｂ】
出席者は携帯電話で出席登録ができる。
【効果Ｃ】
出席登録に要する時間が大幅に短縮できる。
【効果Ｄ】
携帯電話で、出席登録をするのを防止できる。
【効果Ｅ】
余計な集計の必要がない。
【効果Ｆ】
自動的に出席点をつけることができる。
【効果Ｇ】
【００２７】大学等であれば、身分証明カードと同時に組み合わせることができる。
【効果Ｈ】
証拠をはっきりと残しうる。
【効果Ｉ】
出席者が所有する携帯電話上に表示されている電話番号を読み取る事で本人認証が行え、大変便利になった。
【効果Ｊ】
出席者が所有する携帯電話の電話番号を携帯機インタフェースに接続した電話番号読み取り装置が読み出した電話番号を通信で読み取る装置と、あらかじめ出席が許可された個人を認証する情報を管理する装置と、出席者群管理プログラムとで構成されて記録媒体物を必要とせず大変便利になった。
【図面の簡単な説明】
【００２８】
【図１】携帯電話での出席管理装置の実体を説明するための全体図である。
【図２】メインメニュ画面
【図３】携帯電話番号登録画面
【図４】顔写真登録画面
【図５】登録完了の表示と諸項目登録完了画面
【００２９】
【図６】入室チェック画面、
【図７】退室チェック画面
【図８】携帯電話番号を確認を表示する画面
【図９】出席データ一覧と出欠訂正を示す画面
【図１０】名簿ファイルエディター画面
【図１１】年間授業計画画面
【符号説明】
【００３０】１は携帯電話を示し、
２は、携帯電話読み取り装置を示し、
３は、コンピュータある、
４は出席群管理プログラム、
５はセンサー、
６は発光部、
７は音響部、８はデジカメ撮像部、
９はマット，
１０は出席者、
１１は携帯電話番号、
１２は氏名、
１３は授業内一連番号、
１４は写真、
１５は出席人数、
１６は退席人数、
１７は見やすくするための太い横罫線、
１８は見やすくするための太い縦罫線、
１９は科目名を表す。
【図１】
2007193828.tif 000003
【図２】
2007193828.tif 000004
【図３】
2007193828.tif 000005
【図４】
2007193828.tif 000006
【図５】
2007193828.tif 000007
【図６】
2007193828.tif 000008
【図７】
2007193828.tif 000009
【図８】
2007193828.tif 000010
【図９】
2007193828.tif 000011
【図１０】
2007193828.tif 000012
【図１１】
2007193828.tif 000013